(57)【特許請求の範囲】
【請求項１】
コイルワイヤを巻回してなされたコイルと、
該コイルワイヤの端部と外部の電気的接続点とを接続する接続手段と、
前記コイルを収納すると共に、周側面に開口部が形成されたケースとを備え、
前記ケースは、前記開口部が第１の領域と第２の領域とを有し、該第１の領域は、該第２の領域から張り出すように形成されると共に、対向する周縁同士の一部又は全部が前記接続手段を狭持可能な幅に形成され、かつ、先端側が２つに分岐して互いに背向する方向に伸びており、前記第２の領域は、対向する周縁同士の幅が前記接続手段の径よりも大きく形成されていることを特徴とするソレノイド。
【請求項２】
前記ケースは、前記第１の領域の対向する前記周縁同士の幅が前記第２の領域に接続するところで最も狭くなるように形成されていることを特徴とする請求項１に記載のソレノイド。
【請求項３】
前記ケースは、前記第１の領域の先端側が屈曲するように形成されていることを特徴とする請求項１又は請求項２に記載のソレノイド。
【請求項４】
前記接続手段は、２本のリード線と該リード線を挿通した樹脂製のチューブとを有することを特徴とする請求項１から請求項３のいずれか一項に記載のソレノイド。
【請求項５】
前記接続手段は、第１のリード線と第２のリード線とを有し、
前記ケースは、第３の領域をさらに有すると共に、前記第１の領域の対向する周縁同士の一部又は全部が前記第１のリード線を狭持可能な幅に形成され、前記第３の領域は、前記第２の領域から張り出すように形成されると共に、対向する周縁同士の一部又は全部が前記第２のリード線を狭持可能な幅に形成されていることを特徴とする請求項１から請求項３のいずれか一項に記載のソレノイド。
【請求項６】
さらに、前記ケースの前記第２の領域を覆うと共に、可撓性を有する蓋を備えていることを特徴とする請求項１から請求項５のいずれか一項に記載のソレノイド。
【発明の詳細な説明】
【技術分野】
【０００１】
本発明は、ソレノイドに関し、特にケースの周側面に開口部を形成してリード線を引き出しているソレノイドに関する。
【背景技術】
【０００２】
ソレノイドにおいては、リード線をケースの端部に設けた蓋の開口部からリードを引き出しているものが多いが、装着する装置の構造やボビンの構造に応じてケースの周側面からリード線を引き出しているものもある。特開２０１０−１９２７２３公報で開示されている技術は、このようなソレノイドの一例である。以下に、この公報で開示されたソレノイドについて説明する。
【０００３】
以下に、ケースの周側面に開口部を形成してリード線を引き出しているソレノイドの従来技術ついて説明する。図１２は、従来技術に係るソレノイドの構造を示す図であり、（ａ）はボビンの正面図、（ｂ）はソレノイドの断面図である。図１２において、６０はソレノイド、６１はボビン、６２は鍔部、６３は凹陥部、６４はコイル、６５はケース、６６ａ及び６６ｂはコイルワイヤ端部、６７ａ及び６７ｂはリード線、６８は切欠部、６９は開口部である。
【０００４】
図１２に示すように、このソレノイド６０は、ケース６５内に設けたボビン６１の巻胴部にコイルワイヤを巻回してコイル６４を形成している。また、鍔部６２に凹陥部６３を形成し、凹陥部６３にコイルワイヤ端部６６ａとリード線６７ａとの結線部と、コイルワイヤ端部６６ｂとリード線６７ｂとを収納している。また、２つの結線部が短絡しないように、凹陥部６３内の各所に突出部を設けて、コイルワイヤ端部６６ａ及びとリード線６７ａと、コイルワイヤ端部６６ｂとリード線６７ｂとが所定の間隙をおいた状態で保持されるようにしている。したがって、このソレノイド６０は、コイルワイヤとリード線との結線に大きな空間を必要とせず、くわえて、結線部同士の短絡を確実に防止できるという利点もある。
【０００５】
ところで、リード線６７ａ及び６７ｂは、鍔部６２の周縁に形成された切欠部６８と、ケース６５の切欠部６８に対応する部位に形成された開口部６９から外部へ導出されている。しかしながら、開口部６９は小さな孔であるので、ソレノイド６０の組立時に開口部６９からリード線６７ａ及び６７ｂを引き出す作業はかなり困難であり、熟練を要する作業となる。また、リード線６７ａ及び６７ｂを引き出すために加わる引張応力によって、リード線６７ａ及び６７ｂを構成する銅合金などの細いワイヤの一部が断線する場合もある。さらに、開口部の周縁によって樹脂製の絶縁被覆に疵が付くこともある。このような異変は、目視検査で発見できないものも多く、ソレノイドの信頼性を低下させる原因となる。
【先行技術文献】
【特許文献】
【０００６】
【特許文献１】特開２００８−１６６３４７公報
【発明の概要】
【発明が解決しようとする課題】
【０００７】
本発明は、上記課題を解決するために、ケースの周側面に開口部を形成してリード線を引き出しているソレノイドにおいて、リード線をケースの開口部から引き出すことが容易であり、リード線を傷つけない構造を有するソレノイドを提供することを目的とする。
【課題を解決するための手段】
【０００８】
請求項１に記載の発明は、コイルワイヤを巻回してなされたコイルと、該コイルワイヤの端部と外部の電気的接続点とを接続する接続手段と、前記コイルを収納すると共に、周側面に開口部が形成されたケースとを備え、前記ケースは、前記開口部が第１の領域と第２の領域とを有し、該第１の領域は、該第２の領域から張り出すように形成されると共に、対向する周縁同士の一部又は全部が前記接続手段を狭持可能な幅に形成され、前記第２の領域は、対向する周縁同士の幅が前記接続手段の径よりも大きく形成されていることを特徴とするソレノイドである。
【０００９】
請求項２に記載の発明は、請求項１に記載の発明において、前記ケースは、前記第１の領域の対向する前記周縁同士の幅が前記第２の領域に接続するところで最も狭くなるように形成されていることを特徴とするソレノイドである。
【００１０】
請求項３に記載の発明は、請求項１又は請求項２に記載の発明において、前記ケースは、前記第１の領域の先端側が屈曲するように形成されていることを特徴とするソレノイドである。
【００１１】
請求項４に記載の発明は、請求項１又は請求項２に記載の発明において、前記ケースは、前記第１の領域の先端側が２つに分岐して互いに背向する方向に伸びていることを特徴とするソレノイドである。
【００１２】
請求項５に記載の発明は、請求項１から請求項４のいずれか一項に記載の発明において、前記接続手段は、２本のリード線と該リード線を挿通した樹脂製のチューブとを有することを特徴とするソレノイドである。
【００１３】
請求項６に記載の発明は、請求項１から請求項４のいずれか一項に記載の発明において、前記接続手段は、第１のリード線と第２のリード線とを有し、前記ケースは、第３の領域をさらに有すると共に、前記第１の領域の対向する周縁同士の一部又は全部が前記第１のリード線を狭持可能な幅に形成され、前記第３の領域は、前記第２の領域から張り出すように形成されると共に、対向する周縁同士の一部又は全部が前記第２のリード線を狭持可能な幅に形成されているソレノイドである。
【００１４】
請求項７に記載の発明は、請求項１から請求項６のいずれか一項に記載の発明において、さらに、前記ケースの前記第２の領域を覆うと共に、可撓性を有する蓋を備えていることを特徴とするソレノイドである。
【発明の効果】
【００１５】
請求項１に記載の発明によれば、ソレノイドの組立時に、まずコイルワイヤの端部と接続手段を接続し、次にコイルをケース内に挿入し、さらに接続手段を第２の領域からケースの外部に引き出すことによって、接続手段を開口部から引き出すときに、接続手段を開口部の周縁で傷つけることを防止できる。次に、引き出した接続手段を第１の領域に移動させることによって、第１の領域で接続手段を狭持しておくことができ、接続手段を粘着テープなどで仮止めするなどの作業を行う必要がない。さらに、引き出した接続手段を狭持することによって、接続手段を所定の方向に向けておくことができるので、第１の領域で接続手段を狭持させた後の作業も容易に行えるようになる。
【００１６】
請求項２に記載の発明によれば、第１の領域の周縁同士の幅が第２の領域に接続するところで最も狭くなるようにしたので、ソレノイドの組立途中で、接続手段が第２の領域側に不要に離脱することを防止できる。
【００１７】
請求項３に記載の発明によれば、第１の領域の先端側が屈曲するように形成されているので、ソレノイドの組立途中で、接続手段が第２の領域側に引っ張られることがあっても接続手段が第１の領域の先端側の領域に留まるので、第２の領域に離脱することを防止できる。
【００１８】
請求項４に記載の発明によれば、接続手段の延在方向と直交する方向の断面が長円形や楕円形など特定方向に長く伸びる形状である場合に、長く伸びた部分を第１の領域の２つの分岐領域に狭持させることによって、接続手段が第２の領域に離脱することをより確実に防止できる。
【００１９】
請求項５に記載の発明によれば、２本のリード線の絶縁被覆が樹脂製のチューブによって保護され、さらにチューブの弾発力によって接続手段を第１の領域により確実に狭持しておくことができる。
【００２０】
請求項６に記載の発明によれば、２本のリード線を第１の領域と第３の領域とに別々に
【００２１】
請求項７に記載の発明によれば、ソレノイドの装着後に、第２の領域から塵埃が進入することを防止できる。
【図面の簡単な説明】
【００２２】
【図１】本発明の第１の実施の形態に係るソレノイドを示す図（１）であり、（ａ）は斜視図、（ｂ）は軸方向の断面図である。
【図２】本発明の第１の実施の形態に係るソレノイドを示す図（２）であり、（ｃ）は右側面図、（ｄ）は平面図である。
【図３】本発明の第１の実施の形態に係るソレノイドを示す図（３）であり、（ｅ）は背面図、（ｆ）は軸と直交する方向の断面図である。
【図４】本発明の第１の実施の形態に係るケースを示す図であり、（ａ）は右側面図、（ｂ）は平面図である。
【図５】本発明の第１の実施の形態に係るソレノイドの組立手順を示す図（１）であり、（ａ）はボビン挿入前の断面図、（ｂ）はリード線の引出し後の断面図である。
【図６】本発明の第１の実施の形態に係るソレノイドの組立手順を示す図（２）であり、（ｃ）はチューブをねじった後の平面図、（ｄ）はチューブの移動中の平面図である。
【図７】本発明の第１の実施の形態に係るソレノイドの組立手順を示す図（３）であり、（ｅ）はチューブの移動後の平面図、（ｆ）はチューブのねじりを戻した後の平面図である。
【図８】本発明の第２の実施の形態に係るソレノイドの組立手順を示す図であり、（ａ）はチューブをねじった後の平面図、（ｂ）はチューブの移動完了後の平面図である。
【図９】本発明の第３の実施の形態に係るソレノイドの組立手順を示す図であり、（ａ）はリード線の引出し後の平面図、（ｂ）はリード線の移動完了後の平面図である。
【図１０】本発明の第４及び第５の実施の形態に係るソレノイドを示す図であり、（ａ）は第４の実施の形態に係るソレノイドの平面図、（ｂ）は第５の実施の形態に係るソレノイドである。
【図１１】本発明の第１の実施の形態に係るケースの開口部を閉止した状態を示す図であり、（ａ）は樹脂キャップで閉止した状態の平面図、（ｂ）はゴムキャップで閉止した状態の平面図である。
【図１２】従来技術に係るソレノイドの構造を示す図であり、（ａ）はボビンの正面図、（ｂ）はソレノイドの断面図である。
【発明を実施するための形態】
【００２３】
本発明の第１の実施の形態に係るソレノイドについて説明する。図１は、本発明の第１の実施の形態に係るソレノイドを示す図（１）であり、（ａ）は斜視図、（ｂ）は軸方向の断面図である。図１において、１０はソレノイド、２０はケース、２１は開口部、２２は第２領域、２３は第１領域、２３ａは狭隘部分、３０はコイル、３１はボビン、３２及び３３はリード線、３４はチューブ、４０は固定磁極、４１は回転磁極、４１ａは第１磁極部、４１ｂは第２磁極部、４２は回転磁極、４２ａは第１磁極部、４２ｂは第２磁極部、４３は補助磁極、４３ａは大径部、４３ｂ及び４３ｃは小径部、４４はシャフト、４４ａは先端部、４４ｂは基端部、４５は第１蓋、４６は第２蓋、４７及び４８はボールベアリング、４９はストッパ、５０は弦巻ばね、５１はカバー、５２は下地板、５４及び５５はスペーサである。また、図２は、本発明の第１の実施の形態に係るソレノイドを示す図（２）であり、（ｃ）は右側面図、（ｄ）は平面図である。図２において、５３ａ及び５３ｂはねじであり、その他の符号は図１と同じものを示す。さらに、図３は、本発明の第１の実施の形態に係るソレノイドを示す図（３）であり、（ｅ）は背面図、（ｆ）は軸と直交する方向の断面図である。図３において、４０ａは第１磁極部、４０ｂは第２磁極部、４０ｃ及び４２ｃは第３磁極部であり、その他の符号は図１と同じものを示す。
【００２４】
本発明の第１の実施の形態に係るソレノイド１０は、ロータリソレノイドである。すなわち、ソレノイド１０は、図（１）に示すように、回転磁極４１と回転磁極４２とが設けられている。図３（ｆ）に示すように、回転磁極４２は、第１磁極部４２ａ、第２磁極部４２ｂと第３磁極部４２ｃとの３つの磁極部を備え、それぞれ固定磁極４０の第１磁極部４０ａ、第２磁極部４０ｂと第３磁極部４０ｃとに対向するように位置している。回転磁極４１も、第１磁極部４１ａ、第２磁極部４１ｂと図示していない第３磁極部４１ｃとを備え、それぞれ固定磁極４０の第１磁極部４０ａ、第２磁極部４０ｂと第３磁極部４０ｃとに対向するように位置している。コイル３０へ通電すると、回転磁極４１及び４２は、固定磁極４０と補助磁極４３と共に磁気回路を生成し、各磁極部がそれぞれ対向する磁極部に吸引される方向に回転する。また、回転磁極４１と回転磁極４２とは、補助磁極４３の小径部４３ｃと小径部４３ｂとに嵌合されている。
【００２５】
補助磁極４３は、図１に示すように、中央寄りの部分を径の大きい大径部４３ａとしており、両端よりの部分を小径部４３ｃと小径部４３ｂとしている。大径部４３ａにはコイル３０を設けたボビン３１が挿入されているが、大径部４３ａとボビン３１とは接していない。小径部４３ｃと小径部４３ｂとには、前述のように回転磁極４１と回転磁極４２とを嵌合している。したがって、回転磁極４１と回転磁極４２とは、両者の間にボビン３１が介在した状態で設けられている。さらに、補助磁極４３の中空部にはシャフト４４が貫通状態で設けられている。シャフト４４は、補助磁極４３の中空部に嵌合されており、回転磁極４１及び４２が回転するときに補助磁極４３と共に回転する。さらに、シャフト４４の先端部４４ａ側は、第１蓋４５に嵌合されたボールベアリング４７に嵌合され、基端部４４ｂ側は第２蓋４６に嵌合されたボールベアリング４８に嵌合されている。したがって、シャフト４４は、２つのボールベアリングによって安定的に支持されている。なお、補助磁極４３の小径部４３ｂとボールベアリング４７との間隙と、補助磁極４３の小径部４３ｃとボールベアリング４８との間隙には、それぞれスペーサ５４とスペーサ５５とを設けている。
【００２６】
また、シャフト４４の先端部４４ａに図示していない負荷装置が接続され、基端部４４ｂに弦巻ばね５０が接続されている。カバー５１に覆われた弦巻ばね５０は、コイル３０への通電を停止したときに、シャフト４４を逆方向に付勢することによって回転磁極４１及び４２を通電前の位置まで逆回転させる。弦巻ばね５０は、一端が下地板５２に固定され、他端が基端部４４ｂに固定されている。下地板５２に隠れる部分には、ストッパ４９が設けられている。ストッパ４９は、ボルト状に形成され、第２蓋４６に形成されたねじ孔にねじ込まれており、回転磁極４１の磁極部４１ａ及び４１ｂに当接することによって回転磁極４１の回転を規制する。下地板５２は、図２（ｄ）に示すように、ねじ５３ａ及び５３ｂによって第２蓋４６に固定されている。
【００２７】
固定磁極４０は、ケース２０に嵌合されており、その内部に回転磁極４１及び４２などの可動部品とボビン３１などの固定部品を収納している。また、周側面に開口部を形成することによって、図３（ｆ）及び図１に示すように、回転磁極４１に対応する第１磁極部４０ａ、第２磁極部４０ｂ及び第３磁極部４０ｃと、図３に図示していない回転磁極４２に対応する３つの磁極部を形成している。また、図１（ａ）に示すように、ケース２０は、上部に開口部２１が形成されており、開口部２１からコイル３０のコイルワイヤの端部に接続されたリード線３２及び３３を導出している。さらに、リード線３２及び３３の一部をチューブ３４で覆って開口部２１に狭持された部分を保護している。なお、この実施の形態では、回転磁極４１と回転磁極４２の２つの回転磁極を設けているが、回転磁極数は１つでもよい。また、１つの回転磁極に２つ又は４つ以上の磁極部を設けてもよい。
【００２８】
さらに、ケース２０について詳細に説明する。図４は、本発明の第１の実施の形態に係るケースを示す図であり、（ａ）は右側面図、（ｂ）は平面図である。図４において用いた符号は、すべて図１と同じものを示す。なお、本発明においては、ケースに形成した開口部の第１又は第２の領域の対向する周縁同士の幅と、接続手段の径を比較する場合において、接続手段の長手方向に直交する方向の断面の形状が円形であるときには、その断面における直径を接続手段の径とし、接続手段の長手方向に直交する方向の断面の形状が楕円形や長円形など円形でないときには、短径又は短径に相当する長さを接続手段の径と定義する。以下に述べる各実施の形態における接続手段の径についても、この定義に従って説明する。
【００２９】
図４に示すように、ケース２０は、開口部２１を第１領域２３と第２領域２２とからなる構成としている。第１領域２３は、コイル３０と外部の回路との接続手段の一部をなすチューブ３４を狭持することを目的として形成されたものであり、第２領域２２の周縁の一部を張り出すようにして、第２領域２２と一体でありながらも独立した開口部となるように形成されている。したがって、第１領域２３の幅Ｃは、接続手段であるチューブ３４の径よりも小さく、チューブ３４を適度な力で狭持できるものに設定している。また、第２領域２２に接続する部分を対向する周縁同士の幅が最も狭くなる狭隘部分２３ａとしている。狭隘部分２３ａは、第１領域２３で狭持しているチューブ３４がソレノイド１０の組立中や使用中に、第２領域２２に離脱してリード線３２及び３３の八が変わることを防止するために形成している。したがって、狭隘部分２３ａの周縁同士の幅Ｂは、チューブ３４がこの周縁の間をシャフト４４の軸方向に沿って移動可能で、かつ、できる限り狭くなるように設定してある。第２領域２２は、組立時にケース２０の内部にあるリード線３２及び３３とチューブ３４を手作業で容易に引き出せる大きさとしており、特にシャフト４４の軸方向における周縁同士の幅Ａはチューブ３４を挟むことなくスムーズに引き出せるものに設定している。なお、チューブ３４を設けない構成としてもよい。
【００３０】
なお、この実施の形態では、幅Ａよりもこれと直交する方向の長さを大きくしている。これは、チューブ３４を設けない場合、ソレノイド１０の組立作業中にケース２０の内部にあるリード線３２とリード線３３との先端側が異なる方向に向くことがあるが、このように２つのリード線が異なる方向に向いても、両者を第２領域２２から簡単に引き出せるようにするためである。なお、幅Ａ及びこれと直交する方向の長さは、チューブの有無やリード線の配置など応じてさらに大きくするなど適宜変更可能である。逆に、ソレノイド１０の防塵性確保などの関係から、第２領域２２の大きさを第１領域２３よりもやや程度の大きさに形成して開口部２１の面積を小さくすることも可能である。
【００３１】
さらに、本発明の第１の実施の形態に係るソレノイドの組立手順について説明する。図５は、本発明の第１の実施の形態に係るソレノイドの組立手順を示す図（１）であり、（ａ）はボビン挿入前の断面図、（ｂ）はリード線の引出し後の断面図である。図５において用いた符号は、すべて図１と同じものを示す。また図６は、本発明の第１の実施の形態に係るソレノイドの組立手順を示す図（２）であり、（ｃ）はチューブをねじった後の平面図、（ｄ）はチューブの移動中の平面図である。図６において、３５はねじり部分であり、その他の符号は図２と同じものを示す。さらに、図７は、本発明の第１の実施の形態に係るソレノイドの組立手順を示す図（３）であり、（ｅ）はチューブの移動後の平面図、（ｆ）はチューブのねじりを戻した後の平面図である。図７において用いた符号は、すべて図２と同じものを示す。なお、本発明の実施の形態に係るソレノイドにおいて、可動部品を一体にする組立手順、及び固定部品を一体にする組立手順は、従来技術に係るソレノイドと相違ないので説明を省略する。
【００３２】
図５（ａ）は、補助磁極４３の大径部４３ａにコイル３０を巻回したボビン３１を挿入し、さらに回転磁極４１及び４２、補助磁極４３などの可動部品を組み立てたものをケース２０に圧入した固定磁極４０の内部に挿入しているところである。この状態において、リード線３２及び３３は、コイル３０を構成するコイルワイヤの端部に接続されており、さらにチューブ３５に挿入されている。また、リード線３２及び３３を固定磁極４０の内部に挿入するときには、リード線３２及び３３の先端部を第１蓋４５側に向けておく。これらの部品を固定磁極４０の内部にある程度挿入すると、リード線３２及び３３の先端部が開口部２１の第２領域２２から見えるようになる。リード線３２及び３３が見えたら、図５（ｂ）に示すように、ピンセットや指でリード線３２及び３３を開口部２１の第２領域２２からケース２０の外部へ引き出す。
【００３３】
続けて、図６（ｃ）に示すように、ケース２０の外部へ引き出したチューブ３５を捻って、リード線３２とリード線３３とがシャフト４４の中心軸方向に並んだ状態にする。そして、図６（ｄ）に示すように、チューブ３５を第１領域２３の狭隘部分２３ａに押し込んでから、第１領域２３に向かって移動させて図７（ｅ）に示す状態にする。さらに、捻ったチューブ３５を元の状態に戻して図７（ｆ）に示す状態、すなわちリード線３２とリード線３３とがシャフト４４の中心軸と直交する方向に並んだ状態にする。このようにすると、ソレノイド１０の組立途中や、ソレノイド１０を機器に実装するときなどに、リード線３２及び３３を第１蓋４５側に引く力が加わっても、チューブ３５が狭隘部分２３ａを通らないので、リード線３２及び３３が第２領域２２に離脱することがない。また、チューブ３５が第１領域２３によって狭持されているので、チューブ３５を引っ張ってもケース２０の内部にある部分が抜け出にくくなっている。
【００３４】
以上説明したように、本発明の第１の実施の形態に係るソレノイド１０は、ボビン３１を回転磁極４１と回転磁極４２との間に介在するように配置しており、くわえてケース２０に固定磁極４０を嵌合しているので、リード線を２つの蓋のいずれかに向かって配線することが難しい構造であると言える。さらに、第１蓋４５にはシャフト４４の先端側にあるのでリード線３２及び３３を導出するのに適当でなく、第２蓋４６には下地板５２などを設けているので、リード線３２及び３３をケース２０の周側面から導出せざるを得ない構造である。このようなソレノイド１０において、第１領域２３を図１（ａ）に示すように形成したことによって、チューブ３４を第１領域２３で狭持できる上に、ソレノイド１０の組立作業においてリード線３２及び３３をケース２０の内部から第２領域２２を介して簡単に引き出せる簡単な構造となっている。したがって、リード線の引出工程において従来行っていた作業、例えば、リード線を小さな開口部から細い工具で引き出す作業のように高い技能を要求される作業を行う必要がなくなる。あるいは、必要となる長さよりもかなり長くしたリード線の端部にコイルワイヤの端部を接続し、リード線のもう一方の端部に先端に縫い針のような案内具を取り付け、この案内具を使ってリード線を小さな開口部から引き出し、さらにリード線の余分な部分を切断する作業のように時間を要する作業を行う必要がなくなる。また、チューブ３５でリード線３２及び３３を保護しているので、開口部２１の周縁によってリード線３２及び３３の絶縁被覆に疵がつくこともない。また、狭隘部分２３ａを設けたので、チューブ３５が第２領域２２に離脱することも防止できる構造にもなっている。したがって、従来技術に係るソレノイドにおけるリード線を引き出す作業の困難性が大幅に低減でき、さらに、接続手段の一部をなすチューブ３５を第１の領域２３に狭持しておくことができるので、リード線３２及び３３やチューブ３５を粘着テープなどで仮止めする必要がなく、ケースに嵌合した蓋からリード線を引き出すソレノイドと同等又はそれ以上にソレノイドの組立作業の効率化を図ることができる。
【００３５】
さらに、本発明の第２の実施の形態に係るソレノイドについて説明する。図８は、本発明の第２の実施の形態に係るソレノイドの組立手順を示す図であり、（ａ）はチューブをねじった後の平面図、（ｂ）はチューブの移動完了後の平面図である。図８において、２４は第１領域、２４ａは狭隘部分であり、その他の符号は図２と同じものを示す。
【００３６】
本発明の第２の実施の形態に係るソレノイド１０は、本発明の第１の実施の形態に係るソレノイドの第１領域２３が図面上において上下対称な形状であったのに対し、この実施の形態における第１領域２４は、狭隘部分２４ａに対して屈曲したような形状を呈している。ソレノイド１０の組立手順において、図８（ａ）に示すように、捻ったチューブ３４を狭隘部分２４ａに押し込み、第１領域２４へ移動するところまでは同じであるが、第１領域２４に至ったところで捻りを解消しつつ第１領域２４の先端部までさらに押し込むところにおいて相違する。すなわち、このように第１領域２４を屈曲した形状とすることによって、リード線３２及び３３を第１蓋４５側に引く力が加わっても、チューブ３５がさらに第２領域２２に離脱しにくくなる。なお、第１領域２４の幅を接続手段であるチューブ３４の径よりも小さく形成していることなどは、本発明の第１の実施の形態と同様である。
【００３７】
くわえて、本発明の第３の実施の形態に係るソレノイドについて説明する。図９は、本発明の第３の実施の形態に係るソレノイドの組立手順を示す図であり、（ａ）はリード線の引出し後の平面図、（ｂ）はリード線の移動完了後の平面図である。図９において、２５は第１領域、２５ａは狭隘部分、２５ｂ及び２５ｃは屈曲部分であり、その他の符号は図２と同じものを示す。
【００３８】
本発明の第３の実施の形態に係るソレノイド１０は、ソレノイド１０の小型化が特に必要で固定磁極４０の内部にチューブを配置する空間がない場合などに、チューブを省略してリード線３２とリード線３３とを別個に狭持できるようにしている。すなわち、図８（ａ）に示すように、第１領域２５を２つに分岐した屈曲部分２５ｂと屈曲部分２５ｃとし、屈曲部分２５ｂと屈曲部分２５ｃとの幅をリード線３２とリード線３３との径よりもそれぞれ小さく形成し、リード線３２とリード線３３を図８（ｂ）に示すようにそれぞれ狭持している。また、狭隘部分２５ａは、リード線３２及び３３を通過可能で、かつ、屈曲部分２５ｂ及び２５ｃより狭い幅に設定している。
【００３９】
続けて、本発明の第４及び第５の実施の形態に係るソレノイドについて説明する。図１０は、本発明の第４及び第５の実施の形態に係るソレノイドを示す図であり、（ａ）は第４の実施の形態に係るソレノイドの平面図、（ｂ）は第５の実施の形態に係るソレノイドである。図１０において、２６は第１領域、２７は第３領域、２８は第１領域、２８ａは狭隘部分、２９は第３領域、２９ａは狭隘部分、３６及び３７はグロメットであり、その他の符号は図２と同じものを示す。
【００４０】
本発明の第４実施の形態に係るソレノイド１０は、リード線３２とリード線３３とを大きく離隔して導出できるようにしている。すなわち、図９（ａ）に示すように、第１領域２６と第３領域２７とを第２領域２２の対向する周縁から張り出すように形成している。また、第１領域２６と第３領域２７との幅をリード線３２とリード線３３との径よりもそれぞれ小さく形成し、リード線３２とリード線３３とは第１領域２６と第３領域２７とにそれぞれ狭持されている。第１領域２６の狭隘部分２６ａと第３領域２７の狭隘部分２７ａとは、本発明の第３実施の形態に係る狭隘部分２５ａと同様に作用する。この形態に係るソレノイド１０は、リード線３２とリード線３３とを特に離隔して導出したい場合に好ましく適用できるものである。
【００４１】
また、本発明の第５実施の形態に係るソレノイド１０は、接続手段の一部としてグロメットを設け、リード線３２とリード線３３とをグロメットによって保護するようにしている。すなわち、図１０（ｂ）に示すように、第１領域２８と第３領域２９とは、その幅をグロメット３６とグロメット３７との径よりもそれぞれ小さく形成して、グロメット３６とグロメット３７とをそれぞれ狭持できるようにしている。また、リード線３２は第１領域２８に設けたグロメット３６を挿通しており、リード線３３は第３領域２９に設けたグロメット３７を挿通している。グロメット３６とグロメット３７とはゴム製であり、第１領域２８の狭隘部分２８ａと第３領域２９の狭隘部分２９ａとは、それぞれグロメット３６とグロメット３７とを通過可能な幅に設定してある。
【００４２】
さらに、ケース２０の開口部２１をできる限り閉止して防塵性を確保する手段について説明する。図１１は、本発明の第１の実施の形態に係るケースの開口部を閉止した状態を示す図であり、（ａ）は樹脂キャップで閉止した状態の平面図、（ｂ）はゴムキャップで閉止した状態の平面図である。図１１において、３８は樹脂キャップ、３９はゴムキャップであり、その他の符号は図２と同じものを示す。
【００４３】
図１１（ａ）は、本発明の第１の実施の形態に係るソレノイド１０の第２領域２２に樹脂キャップ３８を設けている。また、図１１（ｂ）は、第２領域２２と第１領域２３の狭隘部分２３ａとにゴムキャップ３９を設けている。このようにキャップを設けることによって開口部２１の大部分を閉止することが可能である。また、第２領域２２に銘板を貼り付けることによって閉止してもよい。
【００４４】
なお、本発明は以上に説明した内容に限定されるものではなく、例えば、ロータリソレノイドでなく、直動型（リニア）ソレノイドに開口部２１を形成してもよい。また、開口部２１とは別の開口部を設けて、ソレノイドを装着する製品に対してもっとも好ましい開口部からリード線などの接続手段を引き出すようにしてもよい。さらに、本発明の第１の実施の形態から第５の実施の形態までのソレノイドの構成を部分的に採用して組み合わせることも可能である。また、ソレノイドのケースと弁のケースを一体にした電磁弁において本は爪の開口部を設けてもよい。このように、各請求項に記載した範囲を逸脱しない限りにおいて種々の変形を加えることが可能である。
【符号の説明】
【００４５】
１０    ソレノイド
２０    ケース
２１    開口部
２２    第２領域
２３    第１領域
２３ａ  狭隘部分
２４    第１領域
２４ａ  狭隘部分
２５    第１領域
２５ａ  狭隘部分
２５ｂ  屈曲部分
２５ｃ  屈曲部分
２６    第１領域
２７    第３領域
２８    第１領域
２８ａ  狭隘部分
２９    第３領域
２９ａ  狭隘部分
３０    コイル
３１    ボビン
３２    リード線
３３    リード線
３４    チューブ
３５    ねじり部分
３６    グロメット
３７    グロメット
３８    樹脂キャップ
３９    ゴムキャップ
４０    固定磁極
４０ａ  第１磁極部
４０ｂ  第２磁極部
４０ｃ  第３磁極部
４１    回転磁極
４１ａ  第１磁極部
４１ｂ  第２磁極部
４２    回転磁極
４２ａ  第１磁極部
４２ｂ  第２磁極部
４２ｃ  第３磁極部
４３    補助磁極
４３ａ  大径部
４３ｂ  小径部
４３ｃ  小径部
４４    シャフト
４４ａ  先端部
４４ｂ  基端部
４５    第１蓋
４６    第２蓋
４７    ボールベアリング
４８    ボールベアリング
４９    ストッパ
５０    弦巻ばね
５１    カバー
５２    下地板
５３ａ  ねじ
５３ｂ  ねじ
５４    スペーサ
５５    スペーサ
６０    ソレノイド
６１    ボビン
６２    鍔部
６３    凹陥部
６４    コイル
６５    ケース
６６ａ  コイルワイヤ端部
６６ｂ  コイルワイヤ端部
６７ａ  リード線
６７ｂ  リード線
６８    切欠部
６９    開口部
【図１】
0005953546.tif 000002
【図２】
0005953546.tif 000003
【図３】
0005953546.tif 000004
【図４】
0005953546.tif 000005
【図５】
0005953546.tif 000006
【図６】
0005953546.tif 000007
【図７】
0005953546.tif 000008
【図８】
0005953546.tif 000009
【図９】
0005953546.tif 000010
【図１０】
0005953546.tif 000011
【図１１】
0005953546.tif 000012
【図１２】
0005953546.tif 000013